(57)【要約】【課題】携帯電話本体に内蔵の標準バッテリーの容量が低下して通話ができなくなった時、緊急用としていつでもどこでもすぐに使用することができる、携帯電話用ストラップ型超緊急充電器を得ること。【解決手段】携帯電話のストラップに取り付けられたマスコットの中に、携帯電話の簡易充電器を収納することによって、該充電器の携帯を常に可能とさせる。具体的には、携帯電話の底部にある多用途用接続コネクタ−に適合する出力コネクタープラグと、ボタン型リチウム電池３枚、もしくは００６P型乾電池のそれぞれの電極との間に、充電回路の入出力を接続することで、２方向からの携帯電話の標準バッテリーへの充電電源を供給する。【選択図】なし【特許請求の範囲】
【請求項１】
携帯電話ストラップに取り付けられた取り外し可能なマスコットの中に、携帯電話の簡易充電器を収納したことを特徴とする、携帯電話用ストラップ型超緊急充電器。
【請求項２】
上記簡易充電器として、携帯電話の底部にある多用途用接続コネクターに適合する出力コネクタープラグと、従来のボタン型リチウム電池３枚を収納した小型ケースと、この両者の間を接続する定電流充電回路を一体として１つのケースに収めたことを特徴とする、携帯電話用ストラップ型超緊急充電器。
【請求項３】
請求項２記載の充電器にさらに、００６Ｐ型乾電池の電極に合体するスナップ端子を取り付けたことを特徴とする、携帯電話用ストラップ型超緊急充電器。
【発明の詳細な説明】
【技術分野】
【０００１】
本発明は携帯電話用充電器に関し、特に携帯電話本体に内蔵された標準バッテリーの容量が低下して通話が困難になった時に、ボタン型リチウム電池または００６Ｐ型乾電池から、緊急避難的に携帯電話の電池に充電し、携帯電話を使用可能にするためにストラップに充電機能を付加した、携帯電話用ストラップ型超緊急充電器に関するものである。
【背景技術】
【０００２】
従来、携帯電話を使用する場合、該携帯電話本体に内蔵の標準バッテリーを電源として使用している。該標準バッテリーの充電状態は、モニター画面の電池アイコンで確認することができ、バッテリー容量の残量を確認しながら使用することができる。しかしながら、モニター画面の電池アイコンからでは、後どのくらい使用できるか具体的な時間がわからない。そのためバッテリー容量の低下により、通話の切断される事態に備えることができない。
【０００３】
上記対策として、乾電池や自動車のシガーライターソケットから、充電電源を受けて通話を可能にするための携帯電話用緊急充電器が、コンビニエンスストアや携帯電話ショップ等で販売されている。
【０００４】
しかしながら、バッテリー容量の低下による通話の切断は、予期せぬ時に発生するものであり、その発生場所もまちまちである。該発生場所が市街地であれば、上記携帯電話用緊急充電器を容易に購入することができるが、郊外やへんぴな場所であれば購入することができず、通話が困難になってしまうという問題点があった。また、予期せぬ時に発生する事態のために、常に携帯電話用緊急充電器を所持することも困難であるという問題点もあった。
【発明の開示】
【発明が解決しようとする課題】
【０００５】
本発明は、上記のような問題点を解決するために発案されたものであり、携帯電話本体に内蔵の標準バッテリーの容量が低下して、通話ができなくなくなった時、緊急用としていつでもどこでもすぐに使用できる、携帯電話用ストラップ型超緊急充電器を提供することを目的とする。
【課題を解決するための手段】
【０００６】
上記問題を解決するため本発明において請求項１については、携帯電話のストラップに取り付けられたマスコットの中に、携帯電話の簡易充電器を収納することによって、該充電器の携帯を常に可能とした。また請求項２と請求項３については、携帯電話の底部にある多用途用接続コネクタ−に適合する出力コネクタープラグと、ボタン型リチウム電池３枚、もしくは００６P型乾電池のそれぞれの電極との間に、定電流充電回路の入出力を接続することで、２方向からの携帯電話の標準バッテリーへの充電を可能とした。
【発明の効果】
【０００７】
以上述べたように、本発明の携帯電話用ストラップ型超緊急充電器を、携帯電話に常に取り付けておけば、携帯電話本体に内蔵の標準バッテリーの容量が低下して通話できなくなった時、請求項２により、簡易充電器内に常備されボタン丸型リチウム電池からの充電が可能であるし、それでも間に合わない時は、請求項３により、００６P型電池からの充電も可能である。また請求項１についても、簡易充電器にかぶせるマスコットを取り替えることで、マスコットの着せ替えを楽しむことができるというファッション性も持ち合わせることができる。
【発明を実施するための最良の形態】
【０００８】
本発明の実施形態を図を用いて説明する。図１は本発明の携帯電話用ストラップ型超緊急充電器の概観図である。簡易充電器を収納したマスコット（１）の頭頂部に取り付けられた取り付け金具（２）と、ストラップ（３）についた開閉式取り付けフック（４）がつながることによって、携帯電話と一体化して、常に該簡易充電器をマスコット（１）に収納したままの携帯を可能とした構造である。
【０００９】
図２はマスコット（１）の中に収納されている簡易充電器の外形を図示したもので、（Ａ）は正面図、（Ｂ）は側面図、（Ｃ）は上面図、（Ｄ）は底面図である。また（５）は出力コネクタープラグで、（７）は凸型の（−）電極、（８）は凹型の（＋）電極である。最後に（６）は収納ケースで、上記コネクタープラグ・（＋）電極・（−）電極以外に、図３で図示されたものを一体として収納する成型品である。
【００１０】
図３は簡易充電器をよりわかり易く図示したものである。（９）は丸型リチウム電池３枚を収納する小型のケースであり、（１０）は該ケースの蓋である。
【００１１】
また（１１）は３枚のボタン型リチウム電池を、（−）極が該ケースの底にある電動ホルダー（９a）に接するように、また（＋）極が該ケースの蓋にある電動ホルダー（１０a）に接するように並べたものである。最後に（１２）は定電流充電回路を設置した基盤である。
【００１２】
図４は基盤（１２）の回路図である。図で示されたように、トランジスタTR1、TR2で構成される定電流充電回路により、携帯電話の標準バッテリーには、電圧差による過大電流を防止しながら、一定の充電電流が流れるようになっている。
【実施例】
【００１３】
本発明の実施例を図を用いて説明する。図５は丸型リチウム電池（１１）を使用した場合の充電の実施例であるが、小型ケース（９）の電導ホルダー（９a）に、ボタン型リチウム電池（１１）の（−）極が接するように、また小型ケース（９）の蓋（１０）の電導ホルダー（１０a）に、ボタン型リチウム電池の（＋）極が接するように並べられている。この電導ホルダー（９a）から導線（９b）を通じて、定電流充電回路（１２）の（−）極に、また電導ホルダー（１０a）から導線（１０b）を通じて、定電流充電回路（１２）の（＋）極にそれぞれつながっている。
【００１４】
またボタン型リチウム電池（１１）１枚の電圧は３Vであり、それを３枚直列に並べることで、合計９Vの電圧を確保できる。携帯電話の標準バッテリーは３．６Vか４．８Vが主流になっているため、該バッテリーを充電するのに充分な電圧値があるといえる。
【００１５】
図６は、マスコット（１）の下腹部の蓋（１３）を開き、マスコット（１）の中に作られたスペース部分（１３）に、簡易充電器を出力コネクタープラグ（５）が下になるように挿入する様子を横面からわかり易く図示したものである。
【００１６】
マスコット（１）内部のスペース部分（１４）の周りを囲むスポンジ（１５）は、内面との密着による摩擦力で簡易充電器を定着させるとともに、外部からの衝撃を吸収する緩衝材としても機能している。
【００１７】
図７は、携帯電話用ストラップ型超緊急充電器の、ボタン型リチウム電池を使用しての使用状態を図示している。携帯電話での通話中に、バッテリー切れのメッセージが音声またはモニター画面に表示された場合、ストラップ（３）につながったマスコット（１）の下腹部の蓋（１３）を開き、マスコット（１）内に収納された簡易充電器の出力コネクタープラグ（５）を、携帯電話の多用途用コネクターに挿しこむことで、携帯電話の標準バッテリーへの充電を開始する。
【００１８】
図８は００６P型乾電池（１６）を使用した場合の充電の実施例であるが、簡易充電器の電極（７）及び（８）は、００６P型乾電池の電極と対称な形状であることから、凸型（−）電極の（７）は乾電池の凹型（−）の電極（１７）と合体し、凹型（＋）電極の（８）は乾電池の凸型（＋）の電極（１８）とそれぞれ合体する。
【００１９】
また携帯電話の標準バッテリーは、３．６Vか４．８Vが主流になっており、００６P型乾電池（１６）の電圧は９Vなので、携帯電話の標準バッテリーを充電するのに、充分な電圧値があるといえる。
【００２０】
最後に図９は、携帯電話用ストラップ型超緊急充電器の００６P型乾電池（１６）を使用しての使用状態を図示している。図７での使用状態が不可能な場合に、マスコット（１）から簡易充電器を抜き取り、該充電器の電極（７）（８）と００６P型乾電池（１６）の電極（１７）（１８）とを合体させ、充電可能な状態にしてから、該充電器の出力コネクタープラグ（５）を携帯電話の多用途用コネクターに挿しこむことで、携帯電話の標準バッテリーの充電を継続させることができる。
【図面の簡単な説明】
【００２１】
【図１】本発明の概観を示す説明図。
【図２】簡易充電器の概観を示す説明図。
【図３】簡易充電器の内面の構成を示す説明図。
【図４】定電流充電回路図を示す説明図。
【図５】ボタン型リチウム乾電池を使用した時の接続状態を示す説明図。
【図６】簡易充電器にかぶせるマスコットの内面の構成を示す説明図。
【図７】ボタン型リチウム電池を使用した時の実際の使用状態を示す説明図。
【図８】００６P型乾電池を使用した時の接続状態を示す説明図。
【図９】００６P型乾電池を使用した時の実際の使用状態を示す説明図。
【符号の説明】
【００２２】
マスコット
取り付け金具
携帯電話ストラップ
開閉式取り付けフック
出力コネクタープラグ
収納ケース
電極（−）
電極（＋）
小型ケース
（９a）電導ホルダー
（９b）導線
（１０）小型ケース蓋
（１０a）電導ホルダー
（１０b）導線
（１１）ボタン型リチウム電池×３枚
（１２）定電流充電回路
（１３）マスコットの下腹部にある蓋
（１４）マスコット内のスペース
（１５）スペースを囲むスポンジ
（１６）００６P型乾電池
（１７）電極（−）
（１８）電極（＋）
【図１】
2005304217.tif 000002
【図２】
2005304217.tif 000003
【図３】
2005304217.tif 000004
【図４】
2005304217.tif 000005
【図５】
2005304217.tif 000006
【図６】
2005304217.tif 000007
【図７】
2005304217.tif 000008
【図８】
2005304217.tif 000009
【図９】
2005304217.tif 000010